(57)【要約】  多気候寝袋と、それを作製する方法と、を記載する。１つの寝袋は、頭側端部および足側端部を備える下部パネルであって、内側シェル、外側シェル、および内側シェルと外側シェルとの間に配設された断熱材から形成された、下部パネルと、内側シェル、外側シェル、および内側シェルと外側シェルとの間に配設された断熱材を備える第１の上部パネルと、第１の上部パネルの縁部を下部パネルの縁部に取り外し可能に結合させるように構成された第１の留め機構と、内側シェル、外側シェル、および内側シェルと外側シェルとの間に配設された断熱材を備える第２の上部パネルと、第２の上部パネルの縁部を下部パネルの縁部に取り外し可能に結合させるように構成された第２の留め機構と、を備え得る。【選択図】図１
2021527505.tif 000002
【特許請求の範囲】
【請求項１】
多気候寝袋であって、
頭側端部と、前記頭側端部の反対側に配設された足側端部とを備える下部パネルであって、内側シェル、外側シェル、および前記内側シェルと前記外側シェルとの間に配設された断熱材から形成される、下部パネルと、
内側シェル、外側シェル、および前記内側シェルと前記外側シェルとの間に配設された断熱材を備える第１の上部パネルと、
前記第１の上部パネルの縁部を前記下部パネルの縁部に取り外し可能に結合させるように構成された第１のジッパ型留め具機構であって、前記下部パネルの前記縁部に沿って配設された第１の滑動経路と、前記第１の上部パネルの前記縁部に沿って配設された第２の滑動経路とに係合して、それらを結合させるように構成された第１のプルを備える、第１のジッパ型留め機構と、
内側シェル、外側シェル、および前記内側シェルと前記外側シェルとの間に配設された断熱材を備える第２の上部パネルと、
前記第２の上部パネルの縁部を前記下部パネルの前記縁部に取り外し可能に結合させるように構成された第２のジッパ型留め具機構であって、前記下部パネルの前記縁部に沿って配設された第３の滑動経路と、前記第２の上部パネルの前記縁部に沿って配設された第４の滑動経路とに係合して、それらを結合させるように構成された第２のプルを備える、第２のジッパ型留め具機構と、を備え、
前記第１の上部パネルは、前記第２の上部パネルなしで前記下部パネルに結合されて、ＩＳＯ標準試験を使用して測定したときに、約５０°Ｆ以上の限界評定を含む第１の気候帯を有する睡眠区画を画定するように構成され、
前記第２の上部パネルは、前記第１の上部パネルなしで前記下部パネルに結合されて、ＩＳＯ標準試験を使用して測定したときに、約３０°Ｆ以上の限界評定を含む第２の気候帯を有する睡眠区画を画定するように構成され、かつ
前記第１の上部パネルおよび前記第２の上部パネルの両方は、前記下部パネルに同時に結合されて、ＩＳＯ標準試験を使用して測定したときに、約１５°Ｆ以上の限界評定を含む第３の気候帯を有する睡眠区画を画定するように構成されている、多気候寝袋。
【請求項２】
前記下部パネルの前記断熱材は、ダウン素材、オフセットキルト仕立て材、シングル仕立て合成材、またはこれらの組み合わせを含む、請求項１に記載の多気候寝袋。
【請求項３】
前記第１の上部パネルの前記断熱材は、ダウン素材、オフセットキルト仕立て材、シングル仕立て合成材、またはこれらの組み合わせを含む、請求項１〜２のいずれか１項に記載の多気候寝袋。
【請求項４】
前記第２の上部パネルの前記断熱材は、ダウン素材、オフセットキルト仕立て材、シングル仕立て合成材、またはこれらの組み合わせを含む、請求項１〜３に記載の多気候寝袋。
【請求項５】
前記第２の留め具機構の少なくとも一部分に隣接して配設されたドラフトチューブをさらに備える、請求項１〜４のいずれか１項に記載の多気候寝袋。
【請求項６】
前記下部パネル、前記第１の上部パネル、または前記第２の上部パネルのうちの１つ以上は、略長方形の形状を有する、請求項１〜５のいずれか１項に記載の多気候寝袋。
【請求項７】
前記多気候寝袋は、フードを備えていない、請求項１〜６のいずれか１項に記載の多気候寝袋。
【請求項８】
多気候寝袋であって、
頭側端部と、前記頭側端部の反対側に配設された足側端部と、を備える、下部パネルであって、内側シェル、外側シェル、および前記内側シェルと前記外側シェルとの間に配設された断熱材から形成される、下部パネルと、
第１の上部パネルと、
前記第１の上部パネルの一部分を前記下部パネルの一部分に取り外し可能に結合させるように構成された第１の留め具機構と、
内側シェル、外側シェル、および前記内側シェルと前記外側シェルとの間に配設された断熱材を備える第２の上部パネルと、
前記第２の上部パネルの一部分を前記下部パネルの一部分に取り外し可能に結合させるように構成された第２の留め具機構と、を備え、
前記第１の上部パネルは、前記第２の上部パネルなしで前記下部パネルに結合されて、第１の気候帯を有する睡眠区画を画定するように構成され、
前記第２の上部パネルは、前記第１の上部パネルなしで前記下部パネルに結合されて、第２の気候帯を有する睡眠区画を画定するように構成され、かつ
前記第１の上部パネルおよび前記第２の上部パネルの両方は、前記下部パネルに同時に結合されて、第３の気候帯を有する睡眠区画を画定するように構成され、前記第１、第２，および第３の気候帯の各々は、標準試験を使用して測定したときに、異なる限界評定を有する、多気候寝袋。
【請求項９】
前記第１の上部パネルは、内側シェル、外側シェル、および前記内側シェルと前記外側シェルとの間に配設された断熱材を備え、前記第１の上部パネルの前記断熱材は、ダウン素材、オフセットキルト仕立て材、シングル仕立て合成材、またはこれらの組み合わせを含む、請求項８に記載の多気候寝袋。
【請求項１０】
前記第２の留め具機構の少なくとも一部分に隣接して配設されたドラフトチューブをさらに備える、請求項８〜９のいずれか１項に記載の多気候寝袋。
【請求項１１】
前記第２の気候帯は、前記第１の気候帯の限界評定よりも温度が低い限界評定を有する、請求項８〜１０のいずれか１項に記載の多気候寝袋。
【請求項１２】
前記第３の気候帯は、前記第１の気候帯および前記第２の気候帯のうちの１つ以上の限界評定よりも温度が低い限界評定を有する、請求項８〜１１のいずれか１項に記載の多気候寝袋。
【請求項１３】
前記下部パネル、前記第１の上部パネル、および前記第２の上部パネルは、形状が略長方形であり、前記第１の上部パネルは、前記第２の上部パネルなしで前記下部パネルに結合されて、ＩＳＯ標準試験を使用して測定したときに、約５０°Ｆ以上の限界評定を含む第１の気候帯を有する睡眠区画を画定するように構成され、前記第２の上部パネルは、前記第１の上部パネルなしで前記下部パネルに結合されて、ＩＳＯ標準試験を使用して測定したときに、約３０°Ｆ以上の限界評定を含む第２の気候帯を有する睡眠区画を画定するように構成され、かつ前記第１の上部パネルおよび前記第２の上部パネルの両方は、前記下部パネルに同時に結合されて、ＩＳＯ標準試験を使用して測定したときに、約１５°Ｆ以上の限界評定を含む第３の気候帯を有する睡眠区画を画定するように構成されている、請求項８〜１２のいずれか１項に記載の多気候寝袋。
【請求項１４】
前記多気候寝袋は、フードを備えておらず、前記第１の上部パネルは、前記第２の上部パネルなしで前記下部パネルに結合されて、ＩＳＯ標準試験を使用して測定したときに、約５０°Ｆ以上の限界評定を含む第１の気候帯を有する睡眠区画を画定するように構成され、前記第２の上部パネルは、前記第１の上部パネルなしで前記下部パネルに結合されて、ＩＳＯ標準試験を使用して測定したときに、約３０°Ｆ以上の限界評定を含む第２の気候帯を有する睡眠区画を画定するように構成され、かつ前記第１の上部パネルおよび前記第２の上部パネルの両方は、前記下部パネルに同時に結合されて、ＩＳＯ標準試験を使用して測定したときに、約１５°Ｆ以上の限界評定を含む第３の気候帯を有する睡眠区画を画定するように構成されている、請求項８〜１２のいずれか１項に記載の多気候寝袋。
【請求項１５】
請求項１〜１４のいずれか１項に記載の多気候寝袋を作製する方法。
【発明の詳細な説明】
【技術分野】
【０００１】
本出願は、概して、寝袋に関し、より具体的には、多気候寝袋と、それを使用する方法とに関する。
【背景技術】
【０００２】
寝袋は、典型的には、それらの間に睡眠区画を画定し、寝袋の入口側または入口端部に入口開口を画定するように接続された、対向する第１および第２の半部を含む。寝袋は、断熱材を含み得る。水鳥ダウンなどの非常に軽量で圧縮可能な断熱材は、軽量で、容易に圧縮されながら、十分な断熱を提供できるので、非常に望ましい。寝袋の断熱材として使用される場合、ダウンは、袋の素材の重さによって外側から、かつユーザが外側に押すことによって内側から、容易に圧縮される。ユーザが遭遇すると予想される条件に応じて、ユーザは、予想される条件に好適である限界評定を有する特定の寝袋を選択し得る。
【発明の概要】
【０００３】
さまざまな温度および環境条件で快適性と安全性とを提供し得る、変換可能な多気候寝袋が必要とされている。多気候寝袋と、それを作製する方法と、を本明細書に記載する。多気候寝袋は、頭側端部および足側端部を備える下部パネルであって、内側シェル、外側シェル、および内側シェルと外側シェルとの間に配設された断熱材から形成された、下部パネルと、内側シェル、外側シェル、および内側シェルと外側シェルとの間に配設された断熱材を備える第１の上部パネルと、第１の上部パネルの一部分（例えば、縁部、ドラフトチューブに隣接して配設された縁部など）を下部パネルの一部分（例えば、縁部）に取り外し可能に結合させるように構成された第１の留め機構と、を備え得る。多気候寝袋は、内側シェル、外側シェル、および内側シェルと外側シェルとの間に配設された断熱材を備える第２の上部パネルを備え得る。代替的に、第１または第２の上部層は、単一の断熱材層または単一の防水コーティングされた布地から形成され得る。第２の留め機構が、第２の上部パネルの一部分（例えば、縁部）を下部パネルの一部分（例えば、縁部）に取り外し可能に結合させるように構成され得る。特定の態様では、第１の留め機構および第２の留め機構は、互いに隣接して配設される。特定の態様では、第１の留め機構および第２の留め機構は、本明細書に記載されるように、選択的に取り付けおよび取り外しされる、各パネルに配設されたジッパプルおよび関連滑動経路を有するジッパ型留め具を備え得る。ドラフトチューブおよび他の熱管理要素を含むことができ、寝袋の任意の部分、例えば、留め具機構に隣接して配設され得る。
【０００４】
このように、本明細書におけるその詳細説明がより良好に理解され得るために、かつ当技術分野への本発明の寄与がより良好に認識され得るために、本発明の特定の実施形態をかなり大まかに概説した。当然ながら、以下に説明され、本明細書に添付された特許請求の範囲の主題を形成する本発明の追加の実施形態が存在する。
【図面の簡単な説明】
【０００５】
本発明のより完全な理解を容易にするために、ここで、添付の図面を参照するが、図中、同様の要素は同様の数字で参照される。これらの図面は、本発明を限定するものとして解釈されるべきではなく、例示のみを意図するものである。
【０００６】
【図１】本開示の態様による寝袋の分解斜視図である。
【図２Ａ】図１に示す寝袋の下部パネルに配設された留め具機構の拡大図である。
【図２Ｂ】図１に示す寝袋の第１の上部パネルに配設された留め具機構の拡大図である。
【図２Ｃ】図１に示す寝袋の第２の上部パネルに配設された留め具機構の拡大図である。
【図３】本開示の態様による、第１の上部パネルが下部パネルに結合され、第２の上部パネルが下部パネルから取り外されて、第１の気候帯を提供することを示す、図１の寝袋の斜視図である。
【図４】本開示の態様による、第２の上部パネルが下部パネルに結合され、第１の上部パネルが下部パネルから取り外されて、第２の気候帯を提供することを示す、図１の寝袋の斜視図である。
【図５】本開示の態様による、第１の上部パネルおよび第２の上部パネルの両方が下部パネルに結合されて、第３の気候帯を提供することを示す、図１の寝袋の斜視図であり、例示的な結合／結合解除プロセスを示すために、第２の上部パネルは下部パネルから部分的に結合解除されて示されている。
【図６】本開示の態様による寝袋の分解斜視図である。
【図７】本開示の態様による、第１の上部パネルおよび第２の上部パネルの両方が下部パネルに結合されて、第３の気候帯を提供することを示す、図６の寝袋の斜視図であり、現在の例示的な結合／結合解除プロセスを示すために、第２の上部パネルは下部パネルから部分的に結合解除されて示されている。
【発明を実施するための形態】
【０００７】
これに関して、本発明の少なくとも１つの実施形態を詳細に説明する前に、本発明は、その適用において、以下の説明に記載されるかまたは図面に示される、構造の詳細および構成要素の配置に限定されないことを理解されたい。本発明は、実施形態、または説明されたものに加えて実施形態が可能であり、さまざまな方法で実践および実施され得る。また、本明細書で使用される表現および用語、ならびに抽象語は、説明を目的とするものであり、限定的なものと見なされるべきではないことを理解されたい。
【０００８】
本出願における「１つの実施形態」、「一実施形態」、「１つ以上の実施形態」、「態様」などへの言及は、実施形態に関連して説明される特定の特徴、構造、または特性が、本開示の少なくとも１つの実施形態に含まれることを意味する。例えば、明細書のさまざまな箇所での「一実施形態」という句の出現は、必ずしもすべてが同じ実施形態を指すわけではなく、他の実施形態を相互に排除する別個のまたは代替的な実施形態でもない。さらに、いくつかの実施形態によって示され得、他の実施形態によって示され得ないさまざまな特徴が説明される。同様に、いくつかの実施形態の要件であり得るが、他の実施形態による要件ではないさまざまな要件が説明される。
【０００９】
以下の例示的な実施形態は、本開示が完全であり、その範囲を当業者に完全に伝えるように提供される。本開示の例示的な実施形態を完全に理解してもらうために、特定の構成要素、デバイス、および概略構成の実施例など、多数の特定の詳細が記載される。しかしながら、これらの特定の詳細を使用する必要がないこと、例示的な実施形態が多くの異なる形態で具現化され得ること、およびどちらも本開示の範囲を制限すると解釈されるべきではないことは、当業者には明らかであろう。
【００１０】
さまざまな気候帯において動作可能であるように選択的に構成され得る多気候寝袋について本明細書に記載する。例えば、下部パネルから取り外し可能な１つ以上の上部パネルを選択的に構成することにより、睡眠区画が、ＥＮ１３５３７などのＥＮ標準試験および／またはＩＳＯ２３５３７−１（２０１６）もしくはＩＳＯ２３５３７−１（２０１８）などのＩＳＯ標準試験を使用して測定したときに、可変の快適および／または限界温度評定範囲を示すように構成され得る。したがって、ユーザは、異なる予想条件に対して異なる寝袋を選択する必要があるよりはむしろ、さまざまな条件に対して寝袋を構成し得る。
【００１１】
図１〜図５は、本開示の一態様による例示的な寝袋１００を示す。寝袋１００は、ユーザがさまざまな気候帯構成で寝袋１００を構成することを可能にする多気候寝袋として構成され得る。一実施例として、寝袋１００は、例えば、ＥＮ１３５３７などのＥＮ標準試験を使用して測定したときに、３５°Ｆ（または約３５°Ｆ）以上の限界評定を含む第１の気候帯、２０°Ｆ（または約２０°Ｆ）以上の限界評定を含む第２の気候帯、および５°Ｆ（または約５°Ｆ）以上の限界評定を含む第３の気候帯などの３つの気候帯構成において、選択的に構成可能であり得る。ＥＮ標準を使用して異なる限界評定を有する２つ、３つ、またはそれ以上の気候帯など、他の構成および関連気候帯を使用してもよい。本明細書で使用される場合、ＥＮ標準を使用する測定に関して、「約」という用語は、ＥＮ試験手順によって企図されるように、＋／−３°Ｆを含み得る。さらに、そのような許容範囲は、例えば、２０°Ｆ未満の温度条件で試験が実施されると、影響を受ける場合があることが理解される。
【００１２】
寝袋１００は、足側端部１０４と、足側端部１０４の反対側に配設された頭側端部１０６と、を有する、下部パネル１０２を備え得る。足側端部１０４は、ユーザの脚および足を受容することを意図された寝袋１００の端部（例えば、フットボックス）に対応する。足側端部１０４は、略台形の形状を有するように構成され得る。しかしながら、他の形状が使用されてもよい。頭側端部１０６は、ユーザの頭部および上半身を受容することを意図された寝袋１００の端部に対応する。フード１０８が、頭側端部１０６に隣接して配設され得る。フード１０８は、ユーザの頭部を受容するように構成された空洞１９０を画定し得る。空洞１９０は、枕およびユーザの頭部を受容するようなサイズおよび／または形状であり得る。コード１１０が、フード１０８によって少なくとも部分的に画定された開口１１２の収縮および／または拡張を容易にするように構成され得る。一実施例として、開口１１２は、ユーザが寝袋１００から外を選択的に見ることを可能にするように配設され得る。しかしながら、開口１１２の収縮は、ユーザの顔を被覆および保護するために使用され得る。
【００１３】
下部パネル１０２は、外側シェル１０２ａおよび内側シェル１０２ｂから形成され得る。ナイロン、ポリエステル、マイクロファイバ、ゴム、およびこれらの組み合わせなどの素材を使用して、外側シェル１０２ａによって画定される外側表面および内側シェル１０２ｂによって画定される内側表面（例えば、ライナ）を形成し得る。バッフル１１４などの複数の内部バッフル構造が、外側シェル１０２ａと内側シェル１０２ｂとの間に配設された断熱材１１６を、寝袋１００の長さに沿って、長手方向および周方向で所望の位置に配置および維持するように構成され得る。断熱材１１６は、例えば、水鳥ダウンおよび／または耐水性ダウン素材を含み得る。バッフル１１４は、例えば、縫製、製織、または接着剤などの好適な手段によって、外側シェル１０２ａおよび内側シェル１０２ｂに結合され得る。追加的に、または代替的に、オフセットキルト仕立てまたはシングル仕立ての合成断熱材をシェル１０２ａ、１０２ｂの間に配設してもよい。下部パネル１０２は、抗圧縮層１１８を含み得る。
【００１４】
第１の上部パネル１２０は、外側シェル１２０ａおよび内側シェル１２０ｂから形成され得る。ナイロン、ポリエステル、マイクロファイバ、ゴム、およびこれらの組み合わせなどの素材を使用して、外側シェル１２０ａによって画定される外側表面および内側シェル１２０ｂによって画定される内側表面を形成し得る。バッフル１２２などの複数の内部バッフル構造は、外側シェル１２０ａと内側シェル１２０ｂとの間に配設された断熱材１２４を、第１の上部パネル１２０の長さに沿って、長手方向および周方向で所望の位置に配置および維持するように構成され得る。追加的に、または代替的に、オフセットキルト仕立てまたはシングル仕立て合成断熱材をシェル１２０ａ、１２０ｂの間に配設してもよい。
【００１５】
第１の上部パネル１２０は、下部パネル１０２に選択的に結合されて、睡眠区画１２６を少なくとも部分的に画定し得る。一実施例として、留め具機構１２８は、第１の上部パネル１２０を下部パネル１０２に取り外し可能に結合させるように構成され得る。さらなる実施例として、留め具機構１２８は、プル１３０と、１対の滑動経路１３２ａ、１３２ｂであって、プル１３０によって係合されて、滑動経路１３２ａ、１３２ｂを合わせて結合させるように構成された複数の歯１３３を有する滑動経路１３２ａ、１３２ｂと、を備えるジッパ型留め具であるか、またはそれを含み得る。図示されているように、滑動経路のうちの一方１３２ａは、下部パネル１０２の周縁部１３４に沿って配設され得、滑動経路１３２ｂは、第１の上部パネル１２０の周縁部１３６に沿って配設され得る。滑動経路１３２ａ、１３２ｂは、下部パネル１０２からの第１の上部パネル１２０の取り外し（例えば、完全な結合解除および分離）を容易にするように構成され得る。したがって、プル１３０は、縁部１３４、１３６を互いに、選択的に結合および結合解除させるように係合し得る。第１の上部パネル１２０が下部パネル１０２に結合されたとき、睡眠区画１２６は、第１の気候帯で動作するように構成され得る。第１の気候帯は、例えば、ＥＮ１３５３７などのＥＮ標準試験を使用して測定したときに、３５°Ｆ（約３５°Ｆ）以上の限界評定を含み得る。第１の上部パネル１２０を使用して、他の気候帯を作り出してもよい。例えば、第１の上部パネル１２０は、睡眠区画１２６の全体を取り囲まない部分的パネルとして構成されてもよい。図示されていないが、気候帯を画定する際の柔軟性を作り出すために、さまざまな形状および部分的構成を実装し得ると考えられる。一実施例として、部分的上部パネル（図示せず）は、（全体パネルまたは寝袋の長さと比較して）半分〜４分の３の長さのパネルを含み得、下部パネル１０２に取り外し可能に結合され得る。ジッパ、スナップ、トグルなどのさまざまな留め具を使用し得る。部分的上部層は、単一の素材層（例えば、フリース、キルト仕立て材など）から形成されてもよく、または間に断熱材が配設されている、もしくはされていない、外側シェルおよび内側シェルを含む、シェル構成であってもよい。部分的シェルは、ユーザの体のさまざまな部分、例えば、胸部を被覆するように構成され得る。他の構成を使用してもよい。
【００１６】
第２の上部パネル２２０が、外側シェル２２０ａおよび内側シェル２２０ｂから形成され得る。ナイロン、ポリエステル、マイクロファイバ、ゴム、およびこれらの組み合わせなどの素材を使用して、外側シェル２２０ａによって画定される外側表面および内側シェル２２０ｂによって画定される内側表面を形成し得る。バッフル２２２などの複数の内部バッフル構造が、外側シェル２２０ａと内側シェル２２０ｂとの間に配設された断熱材２２４を、第２の上部パネル２２０の長さに沿って、長手方向および周方向で所望の位置に配置および維持するように構成され得る。断熱材２２４は、例えば、水鳥ダウンおよび／または耐水性ダウン素材を含み得る。バッフル２２２は、例えば、縫製、製織、または接着剤などの好適な手段によって、外側シェル２２０ａおよび内側シェル２２０ｂに結合され得る。
【００１７】
第２の上部パネル２２０は、下部パネル１０２に選択的に結合されて、睡眠区画１２６を少なくとも部分的に画定し得る。一実施例として、留め具機構２２８が、第２の上部パネル２２０を下部パネル１０２に取り外し可能に結合させるように構成され得る。さらなる実施例として、留め具機構２２８は、プル２３０と、１対の滑動経路２３２ａ、２３２ｂであって、プル２３０によって係合されて、滑動経路２３２ａ、２３２ｂを合わせて結合させるように構成された複数の歯２３３を有する滑動経路２３２ａ、２３２ｂと、を備えるジッパ型留め具であるか、またはそれを含み得る。図示されているように、滑動経路のうちの一方２３２ａは、下部パネル１０２の周縁部１３４に沿って配設され得、滑動経路２３２ｂは、第２の上部パネル２２０の周縁部２３６に沿って配設され得る。一実施例として、滑動経路２３２ａは、滑動経路１３２ａに隣接して（例えば、略平行に、および／または重ねて）配設され得る。滑動経路２３２ａは、滑動経路１３２ａから半径方向外側に配設され得る。滑動経路２３２ａ、２３２ｂは、下部パネル１０２からの第２の上部パネル２２０の取り外し（例えば、完全な結合解除および分離）を容易にするように構成され得る。
【００１８】
したがって、プル２３０は、縁部１３４、２３６を互いに、選択的に結合および結合解除させるように係合し得る。プル１３０、２３０を選択的に使用して、滑動経路１３２ａ〜ｂ、２３２ａ〜ｂのさまざまな組み合わせを係合させて、上部パネル１２０、２２０が下部パネル１０２にさまざまな構成で結合されることを可能にし得る。例えば、上部パネル１２０、２２０のいずれか１つが、滑動経路１３２ａまたは滑動経路２３２ａを介して下部パネル１０２に結合され得る。第２の上部パネル２２０が下部パネル１０２に結合されたとき、睡眠区画１２６は、第１の気候帯とは異なる第２の気候帯で動作するように構成され得る。第２の気候帯は、例えば、ＥＮ１３５３７などのＥＮ標準試験を使用して測定したときに、２０°Ｆ（約２０°Ｆ）以上の限界評定を含み得る。第２の上部パネル２２０を使用して、他の気候帯を作り出してもよい。例えば、第２の上部パネル２２０は、睡眠区画１２６の全体を取り囲まない部分的パネルとして構成され得る。図示されていないが、気候帯を画定する際の柔軟性を作り出すために、さまざまな形状および部分的構成を実装し得ると考えられる。寝袋１００は、ドラフトチューブなどの１つ以上の熱管理特徴部または要素を備え得る。一実施例として、第２の上部パネル２２０の縁部２３６に沿って延在するドラフトチューブ２４０が示されている。したがって、ドラフトチューブ２４０は、縁部２３６および／または留め具機構２２８の少なくとも一部分に重ねられて、そのような一部分の上にバリアまたは断熱を提供する素材を含み得る。他のドラフトチューブが、縁部１３６および／または留め具機構１２８に隣接するなど、寝袋１００のさまざまな部分に隣接して配設され得ることが理解される。
【００１９】
特定の態様では、プル１３０は、縁部１３４、１３６を互いに、選択的に結合および結合解除させるように係合し得る。縁部１３４、１３６の結合／結合解除に関して、縁部１３４、１３６は、取り外し可能な部分に解放可能に取り付けられるように構成された寝袋１００の一部分として画定され得ることが理解される。縁部１３４、１３６という用語は、最も外側の周囲によって定義されてもよく、またはそれに隣接して延在し、縁部に重なるドラフトチューブなどの素材を含んでもよい。さらに、プル２３０は、縁部１３４、２３６を互いに、選択的に結合および結合解除させるように係合し得る。第１の上部パネル１２０および第２の上部パネル２２０の両方が下部パネル１０２に結合されたとき、睡眠区画１２６は、第１の気候帯および第２の気候帯とは異なり得る第３の気候帯で動作するように構成され得る。第３の気候帯は、例えば、ＥＮ１３５３７などのＥＮ標準試験を使用して測定したときに、５°Ｆ（約５°Ｆ）以上を含み得る。本明細書に記載されるように、ユーザは、気候条件に基づいて、第１の上部パネル１２０または第２の上部パネル２２０を下部パネル１０２に選択的に結合させ得る。追加的に、または代替的に、ユーザは、第１の上部パネル１２０および第２の上部パネル２２０の両方を下部パネル１０２に、積み重ね構成で結合させ得る。一実施例として、第１の上部パネル１２０は、下部パネル１０２と第２の上部パネル２２０との間に置かれて、寝袋１００の最も寒い気候構成を容易にし得る。
【００２０】
代替的に、または追加的に、寝袋１００は、フードの一部分を第１の上部パネル１２０および第２の上部パネル２２０のうちの１つ以上に取り外し可能に結合させるように構成された１つ以上のフラップ１３７を備え得る。例えば、フラップ１３７は、フード１０８または下部パネル１０２の他の部分に取り付けられ得る。別の実施例として、フラップ１３７は、第１の上部パネル１２０および第２の上部パネル２２０のうちの１つ以上の一部分と取り外し可能に係合するように構成された、スナップ、ボタン、マジックテープなどの取り外し可能結合具１３８を備え得る。さらなる実施例として、フラップ１３７は、滑動経路１３２ａ、１３２ｂ、２３２ａ、２３２ｂ、および／またはプル１３０、２３０の少なくとも一部分に重ねられて、プル１３０、２３０を結合位置に固定するように構成され得る。
【００２１】
図６〜図７は、本開示の一態様による例示的な寝袋６００を示す。図示されているように、寝袋６００は、略長方形の形状を有する。図示されているように、寝袋は、フードを備えていない。寝袋６００は、ユーザがさまざまな気候帯構成で寝袋６００を構成することを可能にする多気候寝袋として構成され得る。一実施例として、寝袋６００は、例えば、ＩＳＯ２３５３７−１（２０１６）またはＩＳＯ２３５３７−１（２０１８）などのＩＳＯ標準試験を使用して測定したときに、５０°Ｆ（または約５０°Ｆ）以上の限界評定（例えば、Ｔｃｏｍｆまたは快適温度）を含む第１の気候帯、３０°Ｆ（または約３０°Ｆ）以上の限界評定を含む第２の気候帯、および１５°Ｆ（または約１５°Ｆ）以上の限界評定を含む第３の気候帯などの３つの気候帯構成で選択的に構成可能であり得る。ＥＮ標準を使用して異なる限界評定を有する２つ、３つ、またはそれ以上の気候帯など、他の構成および関連気候帯を使用してもよい。本明細書で使用される場合、ＥＮ標準を使用する測定に関して、「約」という用語は、ＥＮ試験手順によって企図されるように、＋／−３°Ｆを含み得る。さらに、そのような許容範囲は、例えば、２０°Ｆ未満の温度条件で試験が実施されると、影響を受ける場合があることが理解される。
【００２２】
寝袋６００は、足側端部６０４と、足側端部６０４の反対側に配設された頭側端部６０６とを有する下部パネル６０２を備え得る。足側端部６０４は、ユーザの脚および足を受容することを意図された寝袋６００の端部（例えば、フットボックス）に対応する。足側端部６０４は、略長方形の形状を有するように構成され得る。しかしながら、他の形状を使用してもよい。頭側端部６０６は、ユーザの頭部および上半身を受容することを意図された寝袋６００の端部に対応する。
【００２３】
下部パネル６０２は、外側シェル６０２ａおよび内側シェル６０２ｂから形成され得る。ナイロン、ポリエステル、マイクロファイバ、ゴム、およびこれらの組み合わせなどの素材を使用して、外側シェル６０２ａによって画定される外側表面および内側シェル６０２ｂによって画定される内側表面（例えば、ライナ）を形成し得る。バッフル６１４などの複数の内部バッフル構造が、外側シェル６０２ａと内側シェル６０２ｂとの間に配設された断熱材を、寝袋６００の長さに沿って、長手方向および周方向で所望の位置に配置および維持するように構成され得る。断熱材は、例えば、水鳥ダウンおよび／または耐水性ダウン素材を含み得る。バッフル６１４は、例えば、縫製、製織、または接着剤などの好適な手段によって、外側シェル６０２ａおよび内側シェル６０２ｂに結合され得る。追加的に、または代替的に、オフセットキルト仕立てまたはシングル仕立て合成断熱材をシェル６０２ａ、６０２ｂの間に配設してもよい。下部パネル６０２は、抗圧縮層（図示せず）を含み得る。
【００２４】
第１の上部パネル６２０が、外側シェル６２０ａおよび内側シェル６２０ｂから形成され得る。ナイロン、ポリエステル、マイクロファイバ、ゴム、およびこれらの組み合わせなどの素材を使用して、外側シェル６２０ａによって画定される外側表面および内側シェル６２０ｂによって画定される内側表面を形成し得る。バッフル６２２などの複数の内部バッフル構造が、外側シェル６２０ａと内側シェル６２０ｂとの間に配設された断熱材を、第１の上部パネル６２０の長さに沿って、長手方向および周方向で所望の位置に配置および維持するように構成され得る。追加的に、または代替的に、オフセットキルト仕立てまたはシングル仕立ての合成断熱材をシェル６２０ａ、６２０ｂの間に配設してもよい。
【００２５】
第１の上部パネル６２０は、下部パネル６０２に選択的に結合されて、睡眠区画を少なくとも部分的に画定し得る。一実施例として、留め具機構１２８が、第１の上部パネル６２０を下部パネル６０２に取り外し可能に結合させるように構成され得る。さらなる実施例として、留め具機構１２８は、スナップ、ボタン、マジックテープ、および／またはプルと、１対の滑動経路であって、プルによって係合されて、滑動経路を合わせて結合させるように構成された複数の歯を有する滑動経路と、を備えるジッパ型留め具であるか、またはそれを含み得る。図示されているように、滑動経路のうちの一方（または留め具機構１２８の一部）は、下部パネル６０２の周縁部６３４に沿って配設され得、もう一方の滑動経路（または留め具機構１２８の他の部分）は、第１の上部パネル６２０の周縁部６３６に沿って配設され得る。滑動経路は、下部パネル６０２からの第１の上部パネル６２０の取り外し（例えば、完全な結合解除および分離）を容易にするように構成され得る。したがって、プルは、縁部６３４、６３６を互いに、選択的に結合および結合解除させるように係合し得る。
【００２６】
第１の上部パネル６２０が下部パネル６０２に結合されたとき、睡眠区画は、第１の気候帯で動作するように構成され得る。第１の気候帯は、例えば、ＩＳＯ２３５３７−１（２０１６）またはＩＳＯ２３５３７−１（２０１８）などのＩＳＯ標準試験を使用して測定したときに、５０°Ｆ（約５０°Ｆ）以上の限界評定を含み得る。第１の上部パネル６２０を使用して、他の気候帯を作り出してもよい。例えば、第１の上部パネル６２０は、睡眠区画の全体を取り囲まない部分的パネルとして構成されてもよい。図示されていないが、気候帯を画定する際の柔軟性を作り出すために、さまざまな形状および部分的構成を実装し得ると考えられる。一実施例として、部分的上部パネル（図示せず）は、（全体パネルまたは寝袋の長さと比較して）半分〜４分の３の長さのパネルを備え得、下部パネル６０２に取り外し可能に結合され得る。ジッパ、スナップ、トグルなどのさまざまな留め具を使用し得る。部分的上部層は、単一の素材層（例えば、フリース、キルト仕立て材など）から形成されてもよく、または間に断熱材が配設されている、もしくはされていない、外側シェルおよび内側シェルを含む、シェル構成であってもよい。部分的シェルは、ユーザの体のさまざまな部分、例えば、胸部を被覆するように構成され得る。他の構成を使用してもよい。
【００２７】
第２の上部パネル７２０が、外側シェル７２０ａおよび内側シェル７２０ｂから形成され得る。ナイロン、ポリエステル、マイクロファイバ、ゴム、およびこれらの組み合わせなどの素材を使用して、外側シェル７２０ａによって画定される外側表面および内側シェル７２０ｂによって画定される内側表面を形成し得る。バッフル７２２などの複数の内部バッフル構造が、外側シェル７２０ａと内側シェル７２０ｂとの間に配設された断熱材を、第２の上部パネル７２０の長さに沿って、長手方向および周方向で所望の位置に配置および維持するように構成され得る。断熱材は、例えば、水鳥ダウンおよび／または耐水性ダウン素材を含み得る。バッフル７２２は、例えば、縫製、製織、または接着剤などの好適な手段によって、外側シェル７２０ａおよび内側シェル７２０ｂに結合され得る。
【００２８】
第２の上部パネル７２０は、下部パネル６０２に選択的に結合されて、睡眠区画を少なくとも部分的に画定し得る。一実施例として、留め具機構１２８は、第２の上部パネル７２０を下部パネル６０２に取り外し可能に結合させるように構成され得る。
【００２９】
第２の上部パネル７２０が下部パネル６０２に結合されたとき、睡眠区画は、第１の気候帯とは異なる第２の気候帯で動作するように構成され得る。第２の気候帯は、例えば、ＩＳＯ２３５３７−１（２０１６）またはＩＳＯ２３５３７−１（２０１８）などのＩＳＯ標準試験を使用して測定したときに、３０°Ｆ（約３０°Ｆ）以上の限界評定を含み得る。第２の上部パネル７２０を使用して、他の気候帯を作り出してもよい。例えば、第２の上部パネル７２０は、睡眠区画の全体を取り囲まない部分的パネルとして構成されてもよい。図示されていないが、気候帯を画定する際の柔軟性を作り出すために、さまざまな形状および部分的構成を実装し得ると考えられる。寝袋６００は、ドラフトチューブなどの１つ以上の熱管理特徴部または要素を備え得る。特定の態様では、留め具機構１２８は、縁部６３４、６３６および／または６３４、７３６を互いに、選択的に結合および結合解除させるように係合し得る。第１の上部パネル６２０および第２の上部パネル７２０の両方が下部パネル６０２に結合されたとき、睡眠区画は、第１の気候帯および第２の気候帯とは異なり得る第３の気候帯で動作するように構成され得る。第３の気候帯は、例えば、ＩＳＯ２３５３７−１（２０１６）またはＩＳＯ２３５３７−１（２０１８）などのＩＳＯ標準試験を使用して測定したときに、１５°Ｆ（約１５°Ｆ）以上を含み得る。本明細書に記載するように、ユーザは、気候条件に基づいて、第１の上部パネル６２０または第２の上部パネル７２０を下部パネル６０２に選択的に結合させ得る。追加的に、または代替的に、ユーザは、第１の上部パネル６２０および第２の上部パネル７２０の両方を下部パネル６０２に、積み重ね構成で結合させ得る。一実施例として、第１の上部パネル６２０は、下部パネル６０２と第２の上部パネル７２０との間に置かれ、寝袋６００の最も寒い気候構成を容易にし得る。図示されているように、例えば、下部パネル、第１の上部パネル、および第２の上部パネルは、（例えば、マミーバッグ構成とは対照的に）略長方形の形状を有する。さらに、寝袋６００は、フードなしで示され、フードなしで標的気候帯を達成し得る。
【００３０】
さまざまな態様において、本開示は、以下の実施例のうちの１つ以上に関連し得る。
【００３１】
実施例１：多気候寝袋であって、頭側端部と頭側端部の反対側に配設された足側端部とを備える下部パネルであって、頭側端部に隣接して配設されたフードをさらに備え、内側シェル、外側シェル、および内側シェルと外側シェルとの間に配設された断熱材から形成された、下部パネルと、内側シェル、外側シェル、および内側シェルと外側シェルとの間に配設された断熱材を備える第１の上部パネルと、第１の上部パネルの縁部を下部パネルの縁部に取り外し可能に結合させるように構成された第１のジッパ型留め具機構であって、下部パネルの縁部に沿って配設された第１の滑動経路と第１の上部パネルの縁部に沿って配設された第２の滑動経路とに係合してそれらを結合させるように構成された第１のプルを備える、第１のジッパ型留め機構と、内側シェル、外側シェル、および内側シェルと外側シェルとの間に配設された断熱材を備える第２の上部パネルと、第２の上部パネルの縁部を下部パネルの縁部に取り外し可能に結合させるように構成された第２のジッパ型留め具機構であって、下部パネルの縁部に沿って配設された第３の滑動経路と、第２の上部パネルの縁部に沿って配設された第４の滑動経路とに係合してそれらを結合させるように構成された第２のプルを備える、第２のジッパ型留め機構と、を備え、第１の上部パネルは、第２の上部パネルなしで下部パネルに結合されて、ＥＮ標準試験を使用して測定したときに、約３５°Ｆ以上の限界評定を含む第１の気候帯を有する睡眠区画を画定するように構成され、第２の上部パネルは、第１の上部パネルなしで下部パネルに結合されて、ＥＮ標準試験を使用して測定したときに、約２０°Ｆ以上の限界評定を含む第２の気候帯を有する睡眠区画を画定するように構成され、かつ第１の上部パネルおよび第２の上部パネルの両方は、下部パネルに同時に結合されて、ＥＮ標準試験を使用して測定したときに、約５°Ｆ以上の限界評定を含む第３の気候帯を有する睡眠区画を画定するように構成されている、多気候寝袋。
【００３２】
実施例２：フードによって少なくとも部分的に画定された開口を収縮および／または拡張するように構成されたコードをさらに備える、実施例１に記載の多気候寝袋。
【００３３】
実施例３：コードは、伸縮性である、実施例２に記載の多気候寝袋。
【００３４】
実施例４：下部パネルの断熱材は、ダウン素材、オフセットキルト仕立て材、シングル仕立て合成材、またはこれらの組み合わせを含む、実施例１〜３のいずれか１つに記載の多気候寝袋。
【００３５】
実施例５：下部パネルの断熱材は、ダウン素材を含む、実施例１〜３のいずれか１つに記載の多気候寝袋。
【００３６】
実施例６：下部パネルの断熱材は、オフセットキルト仕立て材もしくはシングル仕立て合成材、またはこれらの組み合わせを含む、実施例１〜３のいずれか１つに記載の多気候寝袋。
【００３７】
実施例７：第１の上部パネルの断熱材は、ダウン素材、オフセットキルト仕立て材、シングル仕立て合成材、またはこれらの組み合わせを含む、実施例１〜６のいずれか１つに記載の多気候寝袋。
【００３８】
実施例８：第１の上部パネルの断熱材は、ダウン素材を含む、実施例１〜６のいずれか１つに記載の多気候寝袋。
【００３９】
実施例９：第１の上部パネルの断熱材は、オフセットキルト仕立て材もしくはシングル仕立て合成材、またはこれらの組み合わせを含む、実施例１〜６のいずれか１つに記載の多気候寝袋。
【００４０】
実施例１０：第２の上部パネルの断熱材は、ダウン素材、オフセットキルト仕立て材、シングル仕立て合成材、またはこれらの組み合わせを含む、実施例１〜９のいずれか１つに記載の多気候寝袋。
【００４１】
実施例１１：第２の上部パネルの断熱材は、ダウン素材を含む、実施例１〜９のいずれか１つに記載の多気候寝袋。
【００４２】
実施例１２：第２の上部パネルの断熱材は、オフセットキルト仕立て材もしくはシングル仕立て合成材、またはこれらの組み合わせを含む、実施例１〜９のいずれか１つに記載の多気候寝袋。
【００４３】
実施例１３：第２の上部パネルの断熱材は、ダウン素材を含み、第１の上部パネルの断熱材は、合成層を含む、実施例１〜３のいずれか１つに記載の多気候寝袋。
【００４４】
実施例１４：フードを、第１の上部パネルおよび第２の上部パネルのうちの１つ以上に結合させるように構成された１つ以上のフラップをさらに備える、実施例１〜１３のいずれか１つに記載の多気候寝袋。
【００４５】
実施例１５：フラップは、第１、第２、第３、または第４の滑動経路の少なくとも一部分に重ねられて、第１のプルおよび第２のプルのうちの１つ以上を結合位置に固定するように構成されている、実施例１４に記載の多気候寝袋。
【００４６】
実施例１６：第２の留め具機構の少なくとも一部分に隣接して配設されたドラフトチューブをさらに備える、実施例１〜１５のいずれか１つに記載の多気候寝袋。
【００４７】
実施例１７：ドラフトチューブは、下部パネルと共に形成されているか、またはそれに結合されている、実施例１６に記載の多気候寝袋。
【００４８】
実施例１８：ドラフトチューブは、第２の上部パネルと共に形成されているか、またはそれに結合されている、実施例１６に記載の多気候寝袋。
【００４９】
実施例１９：第１の留め具機構の少なくとも一部分に隣接して配設されたドラフトチューブをさらに備える、実施例１〜１８のいずれか１つに記載の多気候寝袋。
【００５０】
実施例２０：ドラフトチューブは、下部パネルと共に形成されているか、またはそれに結合されている、実施例１９に記載の多気候寝袋。
【００５１】
実施例２１：ドラフトチューブは、第１の上部パネルと共に形成されているか、またはそれに結合されている、実施例１９に記載の多気候寝袋。
【００５２】
実施例２２：多気候寝袋であって、頭側端部と頭側端部の反対側に配設された足側端部とを備える下部パネルであって、内側シェル、外側シェル、および内側シェルと外側シェルとの間に配設された断熱材から形成された、下部パネルと、第１の上部パネルと、第１の上部パネルの一部分を下部パネルの一部分に取り外し可能に結合させるように構成された第１の留め具機構と、内側シェル、外側シェル、および内側シェルと外側シェルとの間に配設された断熱材を備える第２の上部パネルと、第２の上部パネルの一部分を下部パネルの一部分に取り外し可能に結合させるように構成された第２の留め具機構と、を備え、第１の上部パネルは、第２の上部パネルなしで下部パネルに結合されて、第１の気候帯を有する睡眠区画を画定するように構成され、第２の上部パネルは、第１の上部パネルなしで下部パネルに結合されて、第２の気候帯を有する睡眠区画を画定するように構成され、かつ第１の上部パネルおよび第２の上部パネルの両方は、下部パネルに同時に結合されて、第３の気候帯を有する睡眠区画を画定するように構成され、第１、第２、および第３の気候帯の各々は、ＥＮ標準試験を使用して測定したときに、異なる限界評定を有する、多気候寝袋。
【００５３】
実施例２３：下部パネルは、頭側端部に隣接して配設されたフードをさらに備える、実施例２２に記載の多気候寝袋。
【００５４】
実施例２４：フードによって少なくとも部分的に画定された開口を収縮および／または拡張するように構成されたコードをさらに備える、実施例２３に記載の多気候寝袋。
【００５５】
実施例２５：コードは、伸縮性である、実施例２４に記載の多気候寝袋。
【００５６】
実施例２６：下部パネルの断熱材は、ダウン素材、オフセットキルト仕立て材、シングル仕立て合成材、またはこれらの組み合わせを含む、実施例２２〜２５のいずれか１つに記載の多気候寝袋。
【００５７】
実施例２７：下部パネルの断熱材は、ダウン素材を含む、実施例２２〜２５のいずれか１つに記載の多気候寝袋。
【００５８】
実施例２８：下部パネルの断熱材は、オフセットキルト仕立て材もしくはシングル仕立て合成材、またはこれらの組み合わせを含む、実施例２２〜２５のいずれか１つに記載の多気候寝袋。
【００５９】
実施例２９：第１の上部パネルの断熱材は、ダウン素材、オフセットキルト仕立て材、シングル仕立て合成材、またはこれらの組み合わせを含む、実施例２２〜２８のいずれか１つに記載の多気候寝袋。
【００６０】
実施例３０：第１の上部パネルの断熱材は、ダウン素材を含む、実施例２２〜２８のいずれか１つに記載の多気候寝袋。
【００６１】
実施例３１：第１の上部パネルの断熱材は、オフセットキルト仕立て材もしくはシングル仕立て合成材、またはこれらの組み合わせを含む、実施例２２〜２８のいずれか１つに記載の多気候寝袋。
【００６２】
実施例３２：第２の上部パネルの断熱材は、ダウン素材、オフセットキルト仕立て材、シングル仕立て合成材、またはこれらの組み合わせを含む、実施例２２〜３１のいずれか１つに記載の多気候寝袋。
【００６３】
実施例３３：第２の上部パネルの断熱材は、ダウン素材を含む、実施例２２〜３１のいずれか１つに記載の多気候寝袋。
【００６４】
実施例３４：第２の上部パネルの断熱材は、オフセットキルト仕立て材もしくはシングル仕立て合成材、またはこれらの組み合わせを含む、実施例２２〜３１のいずれか１つに記載の多気候寝袋。
【００６５】
実施例３５：第２の上部パネルの断熱材は、ダウン素材を含み、第１の上部パネルの断熱材は、合成層を含む、実施例２２〜２５のいずれか１つに記載の多気候寝袋。
【００６６】
実施例３６：フードを、第１の上部パネルおよび第２の上部パネルのうちの１つ以上に結合させるように構成された１つ以上のフラップをさらに備える、実施例２２〜３５のいずれか１つに記載の多気候寝袋。
【００６７】
実施例３７：フラップは、第１、第２、第３、または第４の滑動経路の少なくとも一部分にオーバーレイして、第１のプルおよび第２のプルのうちの１つ以上を結合位置に固定するように構成されている、実施例３６に記載の多気候寝袋。
【００６８】
実施例３８：第２の留め具機構の少なくとも一部分に隣接して配設されたドラフトチューブをさらに備える、実施例２２〜３７のいずれか１つに記載の多気候寝袋。
【００６９】
実施例３９：ドラフトチューブは、下部パネルと共に形成されているか、またはそれに結合されている、実施例３８に記載の多気候寝袋。
【００７０】
実施例４０：ドラフトチューブは、第２の上部パネルと共に形成されているか、またはそれに結合されている、実施例３８に記載の多気候寝袋。
【００７１】
実施例４１：第１の留め具機構の少なくとも一部分に隣接して配設されたドラフトチューブをさらに備える、実施例２２〜４０のいずれか１つに記載の多気候寝袋。
【００７２】
実施例４２：ドラフトチューブは、下部パネルと共に形成されているか、またはそれに結合されている、実施例４１に記載の多気候寝袋。
【００７３】
実施例４３：ドラフトチューブは、第１の上部パネルと共に形成されているか、またはそれに結合されている、実施例４１に記載の多気候寝袋。
【００７４】
実施例４４：第２の気候帯は、第１の気候帯の限界評定よりも温度が低い限界評定を有する、実施例２２〜４３のいずれか１つに記載の多気候寝袋。
【００７５】
実施例４５：第３の気候帯は、第１の気候帯および第２の気候帯のうちの１つ以上の限界評定よりも温度が低い限界評定を有する、実施例２２〜４４のいずれか１つに記載の多気候寝袋。
【００７６】
実施例４６：第１の気候帯は、３５°Ｆを含む限界評定を有する、実施例２２〜４５のいずれか１つに記載の多気候寝袋。
【００７７】
実施例４７：第１の気候帯は、４０°Ｆを含む限界評定を有する、実施例２２〜４５のいずれか１つに記載の多気候寝袋。
【００７８】
実施例４８：第１の気候帯は、４５°Ｆを含む限界評定を有する、実施例２２〜４５のいずれか１つに記載の多気候寝袋。
【００７９】
実施例４９：第１の気候帯は、５０°Ｆを含む限界評定を有する、実施例２２〜４５のいずれか１つに記載の多気候寝袋。
【００８０】
実施例５０：第１の気候帯は、５５°Ｆを含む限界評定を有する、実施例２２〜４５のいずれか１つに記載の多気候寝袋。
【００８１】
実施例５１：第２の気候帯は、１５°Ｆを含む限界評定を有する、実施例２２〜５０のいずれか１つに記載の多気候寝袋。
【００８２】
実施例５２：第２の気候帯は、２０°Ｆを含む限界評定を有する、実施例２２〜５０のいずれか１つに記載の多気候寝袋。
【００８３】
実施例５３：第２の気候帯は、２５°Ｆを含む限界評定を有する、実施例２２〜５０のいずれか１つに記載の多気候寝袋。
【００８４】
実施例５４：第２の気候帯は、３０°Ｆを含む限界評定を有する、実施例２２〜５０のいずれか１つに記載の多気候寝袋。
【００８５】
実施例５５：第２の気候帯は、３５°Ｆを含む限界評定を有する、実施例２２〜４５および４７〜５０のいずれか１つに記載の多気候寝袋。
【００８６】
実施例５６：第３の気候帯は、０°Ｆを含む限界評定を有する、実施例２２〜５５のいずれか１つに記載の多気候寝袋。
【００８７】
実施例５７：第３の気候帯は、５°Ｆを含む限界評定を有する。実施例２２〜５５のいずれか１つに記載の多気候寝袋。
【００８８】
実施例５８：第３の気候帯は、１０°Ｆを含む限界評定を有する、実施例２２〜５５のいずれか１つに記載の多気候寝袋。
【００８９】
実施例５９：第３の気候帯は、１５°Ｆを含む限界評定を有する、実施例２２〜５０および５３〜５５のいずれか１つに記載の多気候寝袋。
【００９０】
実施例６０：第３の気候帯は、２０°Ｆを含む限界評定を有する、実施例２２〜５０および５３〜５５のいずれか１つに記載の多気候寝袋。
【００９１】
他の気候帯が、上記の実施例で列挙された終点を超えて実装され得る。そのような実施例は、本開示によって企図されるさまざまな気候帯構成に限定することを意図するものではない。
【００９２】
実施例６１：多気候寝袋を作製する方法であって、頭側端部と頭側端部の反対側に配設された足側端部とを備える下部パネルを形成することであって、下部パネルは、内側シェル、外側シェル、および内側シェルと外側シェルとの間に配設された断熱材から形成される、形成することと、内側シェル、外側シェル、および内側シェルと外側シェルとの間に配設された断熱材を備える第１の上部パネルを形成することと、内側シェル、外側シェル、および内側シェルと外側シェルとの間に配設された断熱材を備える第２の上部パネルを形成することと、を含み、第１の上部パネルおよび第２の上部パネルのうちの１つ以上は、下部パネルに選択的に結合および結合解除されて、睡眠区画を画定するように構成され、第１の上部パネルは、第２の上部パネルなしで下部パネルに結合されて、第１の気候帯を有する睡眠区画を画定するように構成され、第２の上部パネルは、第１の上部パネルなしで下部パネルに結合されて、第２の気候帯を有する睡眠区画を画定するように構成され、かつ第１の上部パネルおよび第２の上部パネルの両方は、下部パネルに同時に結合されて、第３の気候帯を有する睡眠区画を画定するように構成され、第１、第２、および第３の気候帯の各々は、ＥＮ標準試験を使用して測定したときに、異なる限界評定を有する、方法。
【００９３】
実施例６２：第１の気候帯は、ＥＮ標準試験を使用して測定したときに、約３５°Ｆ以上の限界評定を含み、第２の気候帯は、ＥＮ標準試験を使用して測定したときに、約２０°Ｆ以上の限界評定を含み、第３の気候帯は、ＥＮ標準試験を使用して測定したときに、約５°Ｆ以上の限界評定を含む、実施例６１に記載の方法。
【００９４】
実施例６３：第２の気候帯は、第１の気候帯の限界評定よりも温度が低い限界評定を有し、第３の気候帯は、第１の気候帯および第２の気候帯のうちの１つ以上の限界評定よりも温度が低い限界評定を有する、実施例６１〜６２のいずれか１つに記載の方法。
【００９５】
システムおよび方法は、特定の実施形態であると現在考えられるものに関して説明されたが、本開示は、開示された実施形態に限定される必要はない。請求項の精神および範囲に含まれるさまざまな変更および類似の配置を網羅するように、その範囲は、最も広い解釈を与えられ、そのような変更および類似の構成を包含すべきであることが意図される。
【図１】
2021527505.tif 000003
【図２Ａ】
2021527505.tif 000004
【図２Ｂ】
2021527505.tif 000005
【図２Ｃ】
2021527505.tif 000006
【図３】
2021527505.tif 000007
【図４】
2021527505.tif 000008
【図５】
2021527505.tif 000009
【図６】
2021527505.tif 000010
【図７】
2021527505.tif 000011
【国際調査報告】
2021527505.tif 000012
2021527505.tif 000013
2021527505.tif 000014
2021527505.tif 000015
2021527505.tif 000016